(57)【要約】【課題】誰でも、どのような状況でも簡単に釣針に釣糸を結ぶことができるようにすることを課題とする。【解決手段】一端部に釣糸４を通すための穴３０が形成された冠付き釣針３に対して釣糸４を結ぶ際の補助をする補助具であって、錘１１と、錘１１と釣針３とを繋ぐためのフック１２から構成され、釣針３の釣糸通し用の穴３０に釣糸４を通した状態で、錘１１をフック１２を介して釣針３に吊り下げて釣糸４を緊張状態とすることにより、釣針に釣糸を結ぶことを補助するようにした。【選択図】        図１
2004154001.tif 000002
【特許請求の範囲】
【請求項１】
一端部に釣糸通し用の穴が形成された冠付き釣針に対して釣糸を結ぶことを補助するための補助具であって、
上記釣針の釣糸通し用の穴に釣糸を通した状態で、釣針に取り付けられる繋部と、
上記繋部を介して釣針に吊り下げられることにより、上記釣糸を緊張状態として釣針に釣糸を結べるようにするための錘と、
を有することを特徴とする釣針用糸結び補助具。
【請求項２】
上記錘は、少なくともその上端部が面取りされている、
請求項１記載の釣針用糸結び補助具。
【請求項３】
上記錘は釣糸を切断するためのクリッパーで構成されている、
請求項１記載の釣針用糸結び補助具。
【請求項４】
上記錘を所定の場所と連結することにより、上記繋部が釣針から外れたときに上記錘を支えるための連結部材を更に有する、
請求項１〜３のいずれかの項に記載の釣針用糸結び補助具。
【請求項５】
上記連結部材は、結び目のない輪が先端部に形成された紐により構成されており、
上記輪は、上記繋部に係合された状態で釣糸が結ばれ、この釣糸が結ばれた後で上記輪を繋部から外して釣糸の結び目から抜き取ることができるようになっている、
請求項４記載の釣針用糸結び補助具。
【請求項６】
釣針の釣糸通し用の穴に釣糸を通した状態で、錘と繋部とから構成された釣針用糸結び補助具の前記繋部を上記釣針に取り付けて吊り下げる段階と、
上記錘が吊り下げられることにより緊張状態となった釣糸に対して、釣糸の自由端を上記緊張状態となった釣糸に結びつけることにより釣糸を釣針に結ぶ段階と、
を有することを特徴とする釣糸装着方法。
【発明の詳細な説明】
【０００１】
【発明の属する技術分野】
本発明は、釣糸を釣針に結びつける際に使用される補助具及び釣糸の装着方法に関する。
【０００２】
【従来の技術】
釣をする際、釣針に釣糸を結ぶことは、釣糸が細く、また釣針も小さいため大変面倒な作業であった。
そのため、従来から、釣針の軸部を長溝内に保持具を使って押圧固定した状態で、釣糸を巻く装置が提案されている（例えば、特許文献１参照）。
また、所定の棒に釣針を固定し、この棒と釣針とを一体として釣糸を巻きつけて、釣糸の結びが完了してから棒を抜くようにする装置も提案されている（例えば、特許文献２）。
【０００３】
【特許文献１】
特開２００２−１２３６６８号公報（第２−４ページ、第５図）
【特許文献２】
実用新案登録第３０４７８２９号公報（第２−４ページ、第５図）
【０００４】
【発明が解決しようとする課題】
しかし、上述のいずれの装置も、装置自体が大きく携帯に適さないばかりか、その機構や使い方が複雑で、使い勝手が悪いという問題があった。特に従来の装置を船上や夜の暗い中などで使おうとすると、揺れたり暗かったりすると細かな操作ができず使い勝手が悪いという問題があった。
また、例えば、毛ばりなどの疑似餌、特にフライについては釣針のところに疑似餌の仕掛けがあるため、これを手で掴んで糸を結んだり、装置などにより釣針を挟んで釣糸を結ぼうとすると、仕掛けの部分を壊してしまい使いものにならなくなってしまうなどの問題があった。
【０００５】
本発明は、上述の問題点を解決するためになされたものであって、簡単に釣針に釣糸を結ぶことができる釣針用釣糸結び補助具及び、釣針に釣糸装着方法を提供することを課題とする。
【０００６】
【課題を解決するための手段】
上記課題を解決するため、本発明の一の観点にかかる釣針用釣糸結び補助具は、一端部に釣糸通し用の穴が形成された冠付き釣針に対して釣糸を結ぶことを補助するための補助具であって、上記釣針の釣糸通し用の穴に釣糸を通した状態で釣針に取り付けられる繋部と、上記繋部を介して釣針に吊り下げられることにより、上記釣糸を緊張状態として釣針に釣糸を結べるようにする錘とを有することを特徴とする。
【０００７】
また、上記錘は、少なくともその上端部が面取りされていてもよい。
また、上記錘は釣糸を切断するためのクリッパーで構成されていてもよい。
また、上記錘を所定の場所と連結することにより、上記繋部が釣針から外れたときに上記錘を支えるための連結部材を更に有してもよい。
また、上記連結部材は、結び目のない輪が先端部に形成された紐により構成されており、上記輪は、上記繋部に係合された状態で釣糸が結ばれ、この釣糸が結ばれた後で上記輪を繋部から外して釣糸の結び目から抜き取ることができるようにしてもよい。
【０００８】
本発明にかかる釣糸装着方法は、釣針の釣糸通し用の穴に釣糸を通した状態で、錘と繋部とから構成された釣針用糸結び補助具の前記繋部を上記釣針に取り付けて吊り下げる段階と、上記錘が吊り下げられることにより緊張状態となった釣糸に対して、釣糸の自由端を上記緊張状態となった釣糸に結びつけることにより釣糸を釣針に結ぶ段階とを有することを特徴とする。
【０００９】
【発明の実施の形態】
以下、図面を参照して、本発明にかかる一実施形態について説明する。
図１に本発明に係る釣針用糸結び補助具及びそのホルダの一実施形態を示す。図１において、本実施形態の装置は、糸結び補助具１とこれを収納するためのホルダ２から構成されている。
補助具１は、錘１１と、この錘１１を釣糸に繋げるための繋部を構成するフック１２から構成されている。
錘１１は、適宜な重さを持つ錘であって、釣糸に吊り下げた際に釣糸を鉛直方向に引っ張り、釣糸を緊張状態とさせるためのものである。また、本実施形態では錘１１は円柱形状に形成され、その上端部が面取りされて半球面状に形成されている。
フック１２は、錘１１と一体に形成され、その上端部が鉤形に形成されることにより、釣針に引っ掛けて取り付けられるようになっている。
なお、錘１１は真鍮、鉄、鋼鉄などの適宜の材料により構成することができる。
【００１０】
ホルダ２は、ホルダ本体２１と、リング２２から構成されている。
ホルダ本体２１は、中空円柱状に形成されており、その側壁部にリング２２を通すための穴２３が左右に２ヵ所形成されると共に、後述する紐などを取り付けるための穴２４が左右に２ヶ所形成されている。
また、リング２２は、ホルダ本体２１を所定の場所に吊り下げるために使用できる。ホルダ本体２１を吊り下げる場合には、リング２２を直接又は所定のベルトなどを介して、釣人が着ているジャンバーやベスト又はベルトなどに結ぶことにより吊り下げることができる。
そして、このホルダ２に補助具１を収納する場合には、ホルダ２の下端部の開口から補助具１をフック１２側から挿入し、このフック１２をホルダ本体２１内部を貫通している貫通部分２２ａに引っ掛けることにより、補助具１がホルダ２に収納されるようになっている。
【００１１】
なお、フック１２の開口部の幅とリング２２の直径とが略同じか、或いはリング２２の直径を若干大きくしておくことにより、補助具１を収納した場合にフック１２がリング２２ａから外れることを防止することができる。
また、このホルダ本体２１は、例えば、真鍮、鉄、鋼鉄などの材料により構成することができ、リング２２は、例えば、アルミなどの材料により構成することができる。
【００１２】
次に、上述の補助具１を用いて、釣糸を装着する際の一実施形態について図面を参照して説明する。
なお、本実施形態では、釣針３の一端部に釣糸を通すための穴３０が形成された冠付き釣針を用いるものとする。
まず、図２に示すように、釣針３の穴３０に釣糸４を通した状態とする。この状態では、釣針３の重さが軽いため、釣糸４が撓んだ状態となっている。
次に、この状態で、図３に示すように、釣糸４の両端をユーザが片手で持ち、他方の手で補助具１を持ちそのフック１２を釣針３に引っ掛けることにより、釣糸４を鉛直方向に引っ張り緊張状態とする。図３の例では、釣糸４の一端側を薬指と小指で握り、自由端側（釣糸４の先端部）を伸ばした人差指に引っ掛け、これを親指で押さえるようにして持つことにより釣針３に補助具１を吊り下げている。
【００１３】
次に、図４に示すように、片手で釣糸４を支えながら、他方の手で釣糸４の自由端４ａを、緊張状態となっている釣糸４側に巻きつける。この巻き付けを行う際、図４の例では、伸ばした人差指に自由端側の釣糸４ａを引っ掛けるようにして輪を作る。
そして、図５に示すように、巻きつけが終ったところで、自由端４ａの先端部を人指指と中指で挟だ状態で、先に形成されている輪に通す。
そして、輪を通した自由端部４ａを図６に示すように片手で持って、補助具１を吊り下げることにより、錘１１の重さにより釣糸４が鉛直方向に引っ張られ、釣糸４の結びが完了する。
なお、結んだ後に釣糸４の自由端４ａが余っている場合には、はさみなどにより切り落とすようにすればよい。
【００１４】
このように本実施形態記載の補助具１によれば、釣針３の釣糸通し用の穴３０に釣糸４を通した状態で、フック１２を介して錘１１を釣針３に吊り下げることにより釣糸を緊張状態としたことから、簡単なやり方で誰でもすばやく釣糸４を結ぶことができる。
また、例えば船の中や夜の暗い中であっても非常に簡単に釣針３に釣糸４を結ぶことができるし、補助具１自体は、錘１１とフック１２とにより形成されており、非常に小さいことから携帯性に優れた製品とすることができる。
また、釣糸４を結ぶ際に釣針３を握ったり、治具などにより挟んだりする必要がないため、安全でかつ釣針３を破損することもないという効果を奏する。
また、疑似餌、特にフライなどの釣針に仕掛けが付いているものであっても、この仕掛けを壊すことなく簡単に釣糸を結ぶことができるようになる。
【００１５】
また、錘１１の上端部を面取りしたことから、釣糸４を巻く際に釣糸４（自由端４ａ）が錘１１の上端部に引っかかることを防止でき、よりスムーズに釣糸４を結ぶことができる。
なお、錘１１の形状は、本実施形態の形状に限定されるものではなく、例えば、錘１１を球状としてもよいし、円錐状としてもよく任意である。
【００１６】
上述の実施形態では、万一釣糸４を持っている手を放してしまうと、錘１１の重さで補助具１が落ちてしまう。
これを防止するため、図７に示すように釣り人がホルダ２を身に付けている状態で、このホルダ２の穴２４に連結部材としての紐５を結びつけ、この紐５の先端部の輪５ａをフック１２に引っ掛けて釣糸を装着するようにしてもよい。
この場合、輪５ａは、その端部を図８に示すように紐５内に織り込むなどして結び目をなくしておく。
【００１７】
この状態で、紐５をあわせて釣糸４に結びつけ、結び終わったところで輪５ａをフック１２から外して、紐５を引っ張ることで輪５ａを釣糸４の結び目から取り除くようにすればよい。
これにより、誤って釣糸を手放してしまった場合であっても、紐５及びホルダ２を介して補助具１が釣り人の衣服やベルトなどに吊り下げられた状態となり、補助具１が落ちることを防止できる。
また、輪５ａを結び目がないようにしたことから、釣糸４の結び目から輪５ａを引っ張て取り出す際に輪５ａが引っかかることなく、スムーズに取り外すことができる。
なお、ホルダ２を用いなくとも、紐５を直接釣り人の衣服やベルトなどに結んでおいてもよい。
【００１８】
なお、上述の実施形態では、補助具１の繋部としてフック１２を用いた例について説明したが、本発明では錘１１と釣針を繋げることができるものであればこれに限定されるものではない。例えば、フック１２に代えて錘１１にリング状の繋部を形成し、これを釣針に引っ掛けるようにしてもよいし、またクリップなどを用いて釣針を挟持するようにしてもよく任意である。
【００１９】
また、本発明おける錘は、釣針に糸を通した状態で吊り下げた場合に釣糸を緊張状態とできるだけの重さがあるのであれば特に限定されない。
例えば、図９に示すように上述の実施形態の錘１１に代えてクリッパー１１０を用いてもよい。
図９に示した例では、補助部１００は、クリッパー１１０とフック部１２０から構成されている。
クリッパー１１０は、釣糸などを切断するためのものであって、鋏のように二股となった先端部の２箇所に設けられた歯部１１０ａで釣糸を挟むことにより釣糸を切断できるようになっている。このクリッパー１１０は、一枚の例えばステンレスなどの可撓性を有する部材により構成され、板状の部材を折り曲げたり、或いは２枚の板状の部材の一端部を溶接などにより結合することにより構成してもよい。
また、本実施形態では、クリッパー１１０の上部に軸１３０を通すための穴が形成されていると共に、その上端部には図１０に示すように凹部１１０ｂが形成されている。
【００２０】
フック部１２０は、鉤状に形成されたフック１２１と、フック１２１とクリッパー１１０を繋ぐための取付部１２２から構成されている。
フック１２１は、その上端部が鉤状に形成されることにより、釣針に引っ掛けられるようになっている。
また、取付部１２２の上端部は、カシメられることによりフック１２１の下端部に取り付けられている。また、取付部１２２の下端部には、軸１３０の取付用の穴が形成されており、この穴及びクリッパー１１０の上部の穴に軸１３０を取り付けることにより、軸１３０を中心としてクリッパー１１０とフック部１２０が回動自在に取り付けられている。これにより、補助具１００を使用しない場合には、図１０に示すようにフック１２０とクリッパー１１０を折り畳めるようになっている。
また、取付部１２２の軸１３０の取付用の穴をはさんだ他端部には、補助具１００を紐などに係合させるための鉤状の係合部１２２ａが形成されている。この係合部１２２ａはクリッパー１１０を折り畳んだ際に、その開口部がクリッパー１１０側の凹部１１０ｂと重なるようになっており、これにより紐などを通すための係合穴が形成できるようになっている。
【００２１】
このように図９及び図１０に示した実施形態によれば、補助具１００を使用するときには、図９に示すようにクリッパー１１０とフック部１２０とを伸ばした状態とすることにより、クリッパー１１０の重さにより前述の実施形態と同様に使用することができる。
また、錘をクリッパー１１０としたことにより、釣糸を結んだ後に余った部分をクリッパー１００により切断することができ、クリッパーを別途用意したり、これを別に持ち運ぶ必要がなくなり、非常に便利となる。
また、補助具１００を使用しない場合には、図１０に示したように折り畳むとともに、係合部１２２ａと凹部１１０ｂとにより構成される係合穴紐などを通して、これを釣人のジャンパーなどに取り付けることにより、コンパクトで、かつ、補助具１００をなくさずに携帯できる。
【００２２】
上述の実施形態は本発明の一例にすぎず、本発明の範囲内でその形状、材料、使用方法などの変更が可能である。
【００２３】
【発明の効果】
本発明によれば簡単に釣針に釣糸を結ぶことができる。
【図面の簡単な説明】
【図１】本発明にかかる釣針用糸結び補助具と、これを収納するホルダの一例を示した斜視図。
【図２】本実施形態にかかる補助具を釣針に引っ掛けて吊り下げた状態を表した図。
【図３】本実施形態にかかる補助具を釣針に引っ掛けて吊り下げた状態で釣糸を巻きつける様子を表した図。
【図４】本実施形態にかかる補助具を釣針に引っ掛けて吊り下げた状態で釣糸を巻く様子を表した図。
【図５】本実施形態にかかる補助具を釣針に引っ掛けて吊り下げた状態で釣糸を輪に通して結ぶ様子を表した図。
【図６】本実施形態にかかる補助具を釣針に引っ掛けて吊り下げた状態で釣糸を結ぶ様子を表した図。
【図７】本実施形態にかかる補助具及び紐を用いて釣糸を結ぶ際の様子を表した図。
【図８】本実施形態にかかる紐の先端部の輪を示した斜視図。
【図９】本発明にかかる釣針用糸結び補助具の別の実施形態を示した斜視図。
【図１０】別の実施形態にかかる釣針用糸結び補助具の右側面図。
【符号の説明】
１      補助具
２      ホルダ
３      釣針
４      釣糸
５      紐
５ａ    輪
１１    錘
１２    フック
３０    穴（釣糸を釣針に通すための穴）
１００  補助具
１１０  クリッパー
１２０  フック部
【図１】
2004154001.tif 000003
【図２】
2004154001.tif 000004
【図３】
2004154001.tif 000005
【図４】
2004154001.tif 000006
【図５】
2004154001.tif 000007
【図６】
2004154001.tif 000008
【図７】
2004154001.tif 000009
【図８】
2004154001.tif 000010
【図９】
2004154001.tif 000011
【図１０】
2004154001.tif 000012